(57)【要約】【課題】防犯面及び安全面で改善され、取扱い易い可動ルーバー型雨戸を提供する。【解決手段】可動ルーバー型雨戸１は、屋内側に面した操作部１９を屋内側の面に垂直な軸心を中心として回転させることにより、連結部材２５を進退させ、連結部材２５を介してルーバー６を開閉させる開閉操作機構１６を屋内側の面から突出させることなく埋設するとともに、ルーバー６を開状態及び閉状態のいずれにおいても屋内側及び屋外側のいずれの面からも突出させないようして形成されている。【選択図】  図４
2004293097.tif 000002
【特許請求の範囲】
【請求項１】
互いに平行な複数の縦長部材と、これらの縦長部材に適宜間隔で回転可能に支持された多数の固定片と、上記縦長部材間に、これらの縦長部材に直交する方向に多数並設され、両端部が上記固定片に固定されたルーバーと、上記固定片の一方の端部にピン結合し、上記縦長部材の長手方向に沿った方向に進退することにより上記固定片の各々を連動させて一定角度範囲内で正逆転させると同時に、上記固定片を介してこれと一体的に上記ルーバーの各々を連動回転させる連結部材とを備えた可動ルーバー型雨戸において、屋内側に面した操作部を屋内側の面に垂直な軸心を中心として回転させることにより、上記連結部材を進退させ、この連結部材を介して上記ルーバーを開閉させる開閉操作機構を屋内側の面から突出させることなく埋設するとともに、上記ルーバーを開状態及び閉状態のいずれにおいても屋内側及び屋外側のいずれの面からも突出させないように形成したことを特徴とする可動ルーバー型雨戸。
【請求項２】
上記開閉操作機構を、上記操作部を有する回転軸部材と、上記縦長部材の長手方向に沿って設けられ、歯車列を介して上記回転軸部材が正逆転することにより、上記軸心と直交する軸心を中心として正逆転可能に設けられたねじ部材と、このねじ部材が正逆転することによりその軸心に沿って、このねじ部材に対して相対的に進退する可動片と、この可動片に一体作動可能に設けられ、かつ上記連結部材とともに進退可能にこの連結部材に係合する張出し部材とから形成したことを特徴とする請求項１に記載の可動ルーバー型雨戸。
【請求項３】
上桟の下方組立部に介設可能に形成された高さの異なる複数のブロック片を選択的に上記下方組立部に用いることにより高さ調節可能に形成したことを特徴とする請求項１または２に記載の可動ルーバー型雨戸。
【発明の詳細な説明】
【０００１】
【発明の属する技術分野】
本発明は、開閉可能なルーバーを有する可動ルーバー型雨戸に関するものである。
【０００２】
【従来の技術】
従来、可動ルーバー型雨戸は公知である（例えば、特許文献１参照。）。
【０００３】
【特許文献１】
特開２００２−２５６７７６号公報（図２，７及び９）
【０００４】
上記特許文献１には、中桟に設けられた操作スライダを左右に摺動させることにより、ねじりバーを回転させると同時に、このねじりバーに一体結合した回転軸とこの回転軸に一端が固定された第１の伝達部材とを回転させてこの第１の伝達部材の他端にピン結合されたバー部材を進退させ、第２の伝達部材を介してルーバー（スラット）を回転、即ち開閉させるようにした可動ルーバー型雨戸が開示されている。また、この可動ルーバー型雨戸では、上記特許文献１の図９を見れば明かなように、ルーバーは開状態では、雨戸枠体の厚みを超えて大きく屋外側にはみだしている。
【０００５】
【発明が解決しようとする課題】
上述した可動ルーバー型雨戸の場合、操作スライダーを左右に摺動させれば、ルーバーの開閉ができるようになっており、ルーバーが閉状態にあるときでも、外側から、例えば薄板片をルーバー間に差し込み簡単に操作スライダーを左右に移動させてルーバーを開状態にすることができ、防犯上問題がある。また、この可動ルーバー型雨戸の場合、上記回転軸により上記第１の伝達部材の一端を回転させる必要がある一方、この第１の伝達部材の他端には全てのルーバーを連動させて回転させる際に生じる大きな摩擦力が作用するため、上記スライダーを左右に移動させるのに大きな力を要するという問題がある。
【０００６】
さらに、上記ルーバーが開状態において、大きく屋外側に突出するため、上記可動ルーバー型雨戸を戸袋に収める際に、そのまま収納してゆくとこれらを壊してしまうことになり、その都度ルーバーを閉状態にしなければならず、煩わしい作業が必要になるという問題がある。さらにまた、このように大きく屋外側に突出したルーバーの角部は刃物と同様、人が接触すると大怪我を招くものであるため、この角部を人が接触しても安全な保護部材により隠さない限り危険性があるという問題がある。
本発明は、斯る従来の問題をなくすことを課題としてなされたもので、防犯面及び安全面で改善され、取扱い易い可動ルーバー型雨戸を提供しようとするものである。
【０００７】
【課題を解決するための手段】
上記課題を解決するために、第１発明は、互いに平行な複数の縦長部材と、これらの縦長部材に適宜間隔で回転可能に支持された多数の固定片と、上記縦長部材間に、これらの縦長部材に直交する方向に多数並設され、両端部が上記固定片に固定されたルーバーと、上記固定片の一方の端部にピン結合し、上記縦長部材の長手方向に沿った方向に進退することにより上記固定片の各々を連動させて一定角度範囲内で正逆転させると同時に、上記固定片を介してこれと一体的に上記ルーバーの各々を連動回転させる連結部材とを備えた可動ルーバー型雨戸において、屋内側に面した操作部を屋内側の面に垂直な軸心を中心として回転させることにより、上記連結部材を進退させ、この連結部材を介して上記ルーバーを開閉させる開閉操作機構を屋内側の面から突出させることなく埋設するとともに、上記ルーバーを開状態及び閉状態のいずれにおいても屋内側及び屋外側のいずれの面からも突出させないように形成した構成とした。
【０００８】
第２発明は、第１発明の構成に加えて、上記開閉操作機構を、上記操作部を有する回転軸部材と、上記縦長部材の長手方向に沿って設けられ、歯車列を介して上記回転軸部材が正逆転することにより、上記軸心と直交する軸心を中心として正逆転可能に設けられたねじ部材と、このねじ部材が正逆転することによりその軸心に沿って、このねじ部材に対して相対的に進退する可動片と、この可動片に一体作動可能に設けられ、かつ上記連結部材とともに進退可能にこの連結部材に係合する張出し部材とから形成した構成とした。
【０００９】
第３発明は、第１または第２発明の構成に加えて、上桟の下方組立部に介設可能に形成された高さの異なる複数のブロック片を選択的に上記下方組立部に用いることにより高さ調節可能に形成した構成とした。
【００１０】
【発明の実施の形態】
次に、本発明の実施形態を図面にしたがって説明する。
図１〜１０は、本発明に係る可動ルーバー型雨戸１を示し、この雨戸１は全体的に図１及び２に示されているように、下桟２及び上桟３間に介在する両側の縦框４，４と、縦框４，４間に位置する中框５とのそれぞれの間に、並設された多数のルーバー６を有するルーバーアッセンブリー７を配設して形成されている。
【００１１】
下桟２の下部にはローラ１１が設けられ、側面には、ロック操作部１２と操作部材１３が設けられている、ロック操作部１２は上下に移動可能なノブ１４を有し、このノブ１４が上方に位置するときはロック操作部１２の全体が左右に移動でき、全体が左方に移動してノブ１４が下方に移動すると雨戸１は図示しない下レール上にロックされ、不動の状態に保たれる。操作部材１３は取外し可能に設けられている。
上桟３は、図示する実施形態においては、一例として、高さが異なる取外し可能な３個のブロック片１５Ａ、１５Ｂ及び１５Ｃを介して縦框４の上端部上に配置されている。このブロック片１５Ａ、１５Ｂ及び１５Ｃについては、さらに詳しく後述する。
【００１２】
縦框４及び中框５のそれぞれの互いに対向する側は断面コ字形に形成され、上下に延びる凹溝を有している。また、中框５内には、図３及び４に示すように、後述する開閉操作機構１６が埋設されており、屋内側の面に垂直な軸心を有する開閉操作機構１６の回転軸部材１７が雨戸１の屋内側に設けられたカバー１８を貫いている。そして、回転軸部材１７の操作部１９が雨戸１の屋内側に面し、操作部材１３と係合可能となっている。即ち、操作部１９は回転軸部材１７と軸心が共通な断面６角形の穴により形成され、操作部１９に操作部材１３の図示しない断面６角形の突出部を嵌入させて図２に示す状態とし、操作部材１３により回転軸部材１７を雨戸１の屋内側の面に垂直な上記軸心を中心として定位置にて回転させ得るようになっている。さらに、雨戸１の屋内側の面と回転軸部材１７の面とカバー１８の面とは面一に揃えられている。なお、操作部１９の形状は６角形に限定するものでなく、４角形、５角形等、他の形状に形成してもよい。
【００１３】
ルーバーアッセンブリー７のルーバー６は、一対の縦長部材２１間に、この縦長部材２１に対して垂直な方向に配置され、それぞれの両端部は、合成樹脂材からなる固定片２２の一端の突出部２３により支持されている。さらに詳説すれば、固定片２２は縦長部材２１を貫いた突出部２３にて縦長部材２１に回転可能に支持され、ルーバー６は長尺部材２１に垂直な突出部２３の軸心を中心として固定片２２と一体的に回転可能に設けられている。また、ルーバー６の端部に固定片２２の突出部２３を押し込むだけで、突出部２３とルーバー６の端部とが一体化され、この両者の一体化のために例えばボルトやねじのような他の固定部材は不要な構造が採用されている。さらに、各固定片２２の他端２６は貫通孔２４を有する連結部材２５にピン結合されており、連結部材２５が縦長部材２１の長手方向に進退することにより各固定片２２が連動して上記軸心を中心として回転するようになっている。上述した固定片２２とルーバー６との結合構造の詳細は、本願出願人による特許第２９７７５０６号公報に開示されており、省略する。縦框４及び中框５の長さ、これらの間の間隔に合わせてルーバーアッセンブリー７が形成されると、図５及び６に示すように、ルーバーアッセンブリー７の縦長部材２１が縦框４及び中框５の上記凹溝内に嵌入させられて、多数のルーバー６がルーバーアッセンブリー７毎にまとめて雨戸１に組み込まれる。
【００１４】
次に、図３〜８を参照しつつ、開閉操作機構１６について説明する。
開閉操作機構１６は、上述したように回転軸部材１７を有しており、その中框５内に位置する端部には駆動側傘歯車３１が形成されている。また、この駆動側傘歯車３１に噛合う従動側傘歯車３２が一端に形成され、回転軸部材１７の軸心に直交する軸心を有するねじ部材３３が定位置にて回転可能に設けられている。ねじ部材３３は中框５の長手方向に沿って移動可能に支持された可動片３４を貫通し、可動片３４内の定位置に支持されたナット３５に螺合している。そして、回転軸部材１７が回転すると、歯車列、即ち駆動側傘歯車３１、従動側傘歯車３２を介してねじ部材３３が定位置で回転し、これにより可動片３４が中框５の長手方向に沿って進退する。可動片３４には端部が連結部材２５の上述した貫通孔２４内に嵌入した張出し部材３５が可動片３４と一体作動可能に設けられており、可動片３４が進退すると、張出し部材３５を介して連結部材２５が進退することにより、各固定片２２が連動して回転し、これによりルーバー６の開閉が行われる。
【００１５】
上述した開閉操作機構１６の各部の作動状態とルーバー６の開閉状態との関係は図７及び８に分かり易く示されており、図７では、操作部１９から可動片３４が遠のき、連結部材２５が図において右方に押しやられ、各ルーバー６が閉じていった状態で、図８では、逆に操作部１９に可動片３が近付き、連結部材１９が図において左方に引き寄せられ、各ルーバー６が開いていった状態を示している。そして、本発明に係る可動ルーバー型雨戸１の場合、各ルーバー６が開状態、閉状態のいずれであっても、雨戸１の両面よりも外側に出ることはなく、雨戸１の厚みの範囲内に収まるようになっている。従って、各ルーバー６が開状態、閉状態のいずれになっていても、そのまま雨戸１を戸袋にしまうことができるとともに、ルーバー６が張出さないため、その角部で人が傷付く危険性もない。
【００１６】
次に、ブロック片１５Ａ、１５Ｂ及び１５Ｃについて説明する。
雨戸１の上桟３は上下２種類の部材からなっており、幅（雨戸１の高さ方向の寸法）調整可能になっている。また、雨戸１を設置する住宅により雨戸１の下レールと上レールの間の寸法は必ずしも一定ではない。
上述したように、ブロック片１５Ａ、１５Ｂ及び１５Ｃの高さは、例えばそれぞれ順に３ｍｍ，６ｍｍ，９ｍｍというように異なり、かつブロック片１５Ａ、１５Ｂ及び１５Ｃは合成樹脂剤材からなり、取外し可能に形成されている。
【００１７】
図９に示す雨戸１は、レール間の上記寸法が大きい場合に対応させたもので、３種類のブロック片１５Ａ、１５Ｂ及び１５Ｃを使用し、これに合わせて上桟３幅寸法を調整して形成されている。これに対して、図１０はレール間の上記寸法が幾分小さい場合を示し、例えばブロック片１５Ｃを取外し、これに合わせて上桟３も矢印Ａで示すように幅を縮小することにより、簡単にこの小さいレール間の寸法に対応可能となる。なお、上桟３の幅を矢印Ａで示すように縮小すると、同時に残るブロック片１５Ａ、１５Ｂも矢印Ｂで示すように下降し、ブロックＣに代わって縦框４の上端上に落ち着くようになっている。
従って、ブロック片１５Ａ、１５Ｂ及び１５Ｃを適宜組合せて使用することにより、レール間の各種寸法にも簡単に、しかも設置現場であってもその寸法に合わせるよう対応可能となる。
【００１８】
なお，上述した実施形態では、操作部１９から歯車列を介してねじ部材３３を回転させるようにしてあるが、ねじ部材３３を中框５内に収容可能な電池で作動する小型電動モータの出力軸に結合し、このモータによりねじ部材３３正逆転させるようにしてもよい。
【００１９】
【発明の効果】
以上の説明より明らかなように、第１発明によれば、屋内側に面した操作部を屋内側の面に垂直な軸心を中心として回転させることにより、連結部材を進退させ、この連結部材を介してルーバーを開閉させる開閉操作機構を屋内側の面から突出させることなく埋設するとともに、上記ルーバーを開状態及び閉状態のいずれにおいても屋内側及び屋外側のいずれの面からも突出させないように形成してある。
このように、屋内側から開閉操作機構の操作部を回転させることによりルーバーの開閉を行うようにしてあるため、ルーバーが閉状態にある場合、屋外側からルーバーの開閉操作を容易に行うことができず防犯上優れ、また、ルーバーは開閉いずれの状態においても、雨戸の厚みを超えて張出すことはなく、ルーバーの角部等に接触して大怪我をするという危険性は全くなく、安全性にも優れるとともに、操作部での回転操作によりルーバーを開閉させる故、この開閉に要する操作部回転のための力を容易に小さくすることができ、取扱いも容易になる等の効果を奏する。
【００２０】
第２発明によれば、第１発明の構成に加えて、上記開閉操作機構を、上記操作部を有する回転軸部材と、上記縦長部材の長手方向に沿って設けられ、歯車列を介して上記回転軸部材が正逆転することにより、上記軸心と直交する軸心を中心として正逆転可能に設けられたねじ部材と、このねじ部材が正逆転することによりその軸心に沿って、このねじ部材に対して相対的に進退する可動片と、この可動片に一体作動可能に設けられ、かつ上記連結部材とともに進退可能にこの連結部材に係合する張出し部材とから形成してある。
このため、第１発明による効果に加えて、操作部での回転ががたつきなくねじ部から張出し部材、さらに連結部材へと伝わるようになり、ルーバーを小さい力で円滑に開方向或いはその逆方向に作動させることが可能になるという効果を奏する。
【００２１】
第３発明によれば、第１または第２発明の構成に加えて、上桟の下方組立部に介設可能に形成された高さの異なる複数のブロック片を選択的に上記下方組立部に用いることにより高さ調節可能に形成してある。
このため、第１または第２発明による効果に加えて、上下レール間の寸法の異なる種々の住宅にも、容易かつ迅速に、しかも設置現場においても雨戸の高さ調整して適切に対応することが可能になるという効果を奏する。
【図面の簡単な説明】
【図１】本発明に係る可動ルーバー型雨戸のルーバー開閉操作しない場合における正面図である。
【図２】本発明に係る可動ルーバー型雨戸のルーバー開閉操作する場合における正面図である。
【図３】図１に示す可動ルーバー型雨戸の開閉操作機構を示す一部破断部分拡大図である。
【図４】図３のＩＶ−ＩＶ線断面図である。
【図５】図３のＶ−Ｖ線断面図である。
【図６】図３のＶＩ−ＶＩ線断面図である。
【図７】図１に示す可動ルーバー型雨戸の開閉操作機構によりルーバが閉状態になる際の各部の作動状態を示す図である。
【図８】図１に示す可動ルーバー型雨戸の開閉操作機構によりルーバが開状態になる際の関係する各部の作動状態を示す図である。
【図９】図１に示す可動ルーバー型雨戸のブロック片の使用状態を示す部分拡大斜視図である。
【図１０】図１に示す可動ルーバー型雨戸のブロック片の他の使用状態を示す部分拡大斜視図である。
【符号の説明】
１  可動ルーバー型雨戸        ２  下桟
３  上桟                      ４  縦框
５  中框                      ６  ルーバー
７  ルーバーアッセンブリー    １１  ローラ
１２  ロック操作部            １３  操作部材
１４  ノブ                    １５Ａ，１５Ｂ，１５Ｃ  ブロック片
１６  開閉操作機構            １７  回転軸部材
１８  カバー                  １９  操作部
２１  縦長部材                ２２  固定片
２３  突出部                  ２４  貫通孔
２５  連結部材                ２６  他端
３１  駆動側傘歯車            ３２  従動側傘歯車
３３  ねじ部材                ３４  可動片
３５  ナット
【図１】
2004293097.tif 000003
【図２】
2004293097.tif 000004
【図３】
2004293097.tif 000005
【図４】
2004293097.tif 000006
【図５】
2004293097.tif 000007
【図６】
2004293097.tif 000008
【図７】
2004293097.tif 000009
【図８】
2004293097.tif 000010
【図９】
2004293097.tif 000011
【図１０】
2004293097.tif 000012